(57)【要約】  少なくとも１種類の発光素子を１個以上搭載し、かつ前記発光素子の出力光により励起される蛍光体を備えた発光装置であって、蛍光体を搭載する前の前記発光装置において、搭載されたすべての発光素子を発光させた場合に、４４０ｎｍ以上４６０ｎｍ未満の第１波長領域に出力光のピーク波長を有し、かつ、４６０ｎｍ以上４９０ｎｍ以下の第２波長領域に出力光のピーク波長を有する発光装置が供給される。
2016159141.tif 000002
【特許請求の範囲】
【請求項１】
少なくとも１種類の発光素子を１個以上搭載し、かつ前記発光素子の出力光により励起される蛍光体を備えた発光装置であって、
蛍光体を搭載する前の前記発光装置において、搭載されたすべての発光素子を発光させた場合に、４４０ｎｍ以上４６０ｎｍ未満の第１波長領域に出力光のピーク波長を有し、かつ、４６０ｎｍ以上４９０ｎｍ以下の第２波長領域に出力光のピーク波長を有する発光装置。
【請求項２】
４４０ｎｍ以上４６０ｎｍ未満の波長範囲内にピーク発光波長を有する第１の一次光と４６０ｎｍ以上４９０ｎｍ以下の波長範囲内にピーク発光波長を有する第２の一次光との両者を放射する少なくとも１個の発光素子と、
前記第１の一次光および前記第２の一次光のいずれかもしくは両方によって励起され、緑色領域にピーク発光波長を有する第１の蛍光を放射する緑色蛍光体と、
前記第１の一次光および前記第２の一次光のいずれかもしくは両方によって励起され、赤色領域にピーク発光波長を有する第２の蛍光を放射する赤色蛍光体と、を備え、
相関色温度が２０００Ｋ以上６５００Ｋ以下であり、平均演色評価数Ｒａ８０以上の光を放射する、
請求項１に記載の発光装置。
【請求項３】
４４０ｎｍ以上４６０ｎｍ未満の波長範囲内にピーク発光波長を有する第１の一次光を放射する少なくとも１個の第１の発光素子と、
４６０ｎｍ以上４９０ｎｍ以下の波長範囲内にピーク発光波長を有する第２の一次光を放射する少なくとも１個の第２の発光素子と、
前記第１の一次光および前記第２の一次光のいずれかもしくは両方によって励起され、緑色領域にピーク発光波長を有する第１の蛍光を放射する緑色蛍光体と、
前記第１の一次光および前記第２の一次光のいずれかもしくは両方によって励起され、赤色領域にピーク発光波長を有する第２の蛍光を放射する赤色蛍光体と、を備え、
相関色温度が２０００Ｋ以上６５００Ｋ以下であり、平均演色評価数Ｒａ８０以上の光を放射する、
発光装置。
【請求項４】
前記発光装置の発光スペクトルにおいて、４５０ｎｍ以上５００ｎｍ以下の波長範囲内の最小発光強度である第１の発光強度Ｅ１に対する、４３０ｎｍ以上４６０ｎｍ以下の波長範囲内の最大発光強度である第２の発光強度Ｅ２の比（Ｅ２／Ｅ１）は、３．０以下である、
請求項１から３いずれかに記載の発光装置。
【発明の詳細な説明】
【技術分野】
【０００１】
本発明は、発光装置に関する。
【背景技術】
【０００２】
半導体発光素子と蛍光体とを組み合わせた発光装置は、低消費電力、小型化、高輝度、更には広範囲な色再現性が期待される次世代の発光装置として注目され、活発に研究および開発されている。半導体発光素子から発せられる一次光は、通常、近紫外から青色の範囲であり、たとえば波長が３８０〜４９０ｎｍである光である。また、用途に適合した様々な蛍光体を用いた発光装置も提案されている。【０００３】
照明装置等として使用される発光装置も種々開発されており、このような発光装置の出力性能を向上させるための手段が種々検討されている。発光装置の出力性能を高めるために、視感度が高く、且つ、青の補色である黄色領域に主たる発光ピークを持つ蛍光体が一般的に用いられる。また、一般照明器具用途に使用可能な発光装置では、性能として、高演色性を有すること（「高演色性を有する」とは、基本的に平均演色評価数Ｒａが８０以上であることを意味する。）も、出力性能の向上と併せて重要となっている。【０００４】
上記平均演色評価数Ｒａは、演色性を示す指数として一般的に用いられ、試験色（Ｒ１〜Ｒ８）が自然に見えるか否かを評価する指標である。一般照明器具用途に使用可能な発光装置では、試験色を自然に見せることが重要であり、即ち平均演色評価数Ｒａを高めることが重要とされている。【０００５】
ＬＥＤ（ｌｉｇｈｔ  ｅｍｉｔｔｉｎｇ  ｄｉｏｄｅ）光源を用いた発光装置として、４４０〜４６０ｎｍの波長領域にピークを持つ青色ＬＥＤと、緑色蛍光体と赤色蛍光体とを利用した発光装置がある。しかし、該発光装置の発光スペクトルは、青色領域である４４０〜４６０ｎｍの波長領域に鋭いピークがあるため、青色の反射成分が強すぎる。この場合、４４０〜４６０ｎｍの波長領域で光を反射するような被照射物の色を再現できないことがある。【０００６】
物品販売等で使用される発光装置では、明るさの確保に加えて、照射対象物の色の再現性も要求されている。特に服飾業界をはじめとして各種商品においては白、黒、紺、赤は最も多く用いられる色であるため、これらの色を忠実に再現することが重要である。したがって、このような発光装置の場合、平均演色評価数Ｒａとともに、白、黒、紺、赤の再現性を向上させることが重要である。平均演色評価数Ｒａは、試験色（Ｒ１〜Ｒ８）が自然に見えるかを評価する指標であり、試験色に含まれない、白、赤、紺、黒の再現性については示していない。赤色については特殊演色評価数Ｒ９を指標とするのが一般的である。一方で、白、黒、紺については試験色に含まれておらず、一般的かつ定量性を持った評価指数が無い。【０００７】
特許文献１（特許第４０７２６３２号公報）には、赤色を鮮やかに発色する発光装置として、発光波長が３６０ｎｍ〜５５０ｎｍの範囲にある発光素子と、式（Ｃａｘ、Ｅｕｙ）（Ｓｉ，Ａｌ）１２（Ｏ，Ｎ）１６で示されるＣａ−α−サイアロンのＣａ位置を部分的にＥｕで置換した構造をもつα−サイアロンが４０質量％以上９０質量％以下、β−サイアロンが５質量％以上４０質量％以下、未反応の窒化ケイ素が５質量％以上３０質量％以下の粉末から成るサイアロン系蛍光体と、を備え、前記発光素子の光の一部は前記蛍光体により波長変換されて放出されることを特徴とする発光装置が記載されている。
【先行技術文献】
【特許文献】
【０００８】
【特許文献１】特許第４０７２６３２号公報
【発明の概要】
【発明が解決しようとする課題】
【０００９】
特許文献１では、発光装置の色温度の範囲は限定されておらず、また、平均演色評価数Ｒａの記述もなく、発光装置の演色性について十分に検討されていない。【００１０】
本発明は、平均演色評価数Ｒａが高く、かつ、照射対象物の色のうち、特に白、赤、紺、黒の再現性の良い発光装置を提供することを目的とする。
【課題を解決するための手段】
【００１１】
［１］  本発明に係る発光装置は、少なくとも１種類の発光素子を１個以上搭載し、かつ前記発光素子の出力光により励起される蛍光体を備えた発光装置であって、蛍光体を搭載する前の前記発光装置において、搭載されたすべての発光素子を発光させた場合に、４４０ｎｍ以上４６０ｎｍ未満の第１波長領域に出力光のピーク波長を有し、かつ、４６０ｎｍ以上４９０ｎｍ以下の第２波長領域に出力光のピーク波長を有する発光装置である。
［２］  本発明に係る発光装置において、４４０ｎｍ以上４６０ｎｍ未満の波長範囲内にピーク発光波長を有する第１の一次光と４６０ｎｍ以上４９０ｎｍ以下の波長範囲内にピーク発光波長を有する第２の一次光との両者を放射する少なくとも１個の発光素子、もしくは、４４０ｎｍ以上４６０ｎｍ未満の波長範囲内にピーク発光波長を有する第１の一次光を放射する少なくとも１個の第１の発光素子と、４６０ｎｍ以上４９０ｎｍ以下の波長範囲内にピーク発光波長を有する第２の一次光を放射する少なくとも１個の第２の発光素子と、の少なくとも２種類の発光素子、のいずれかを構成要素として有し、前記第１の一次光および前記第２の一次光のいずれかもしくは両方によって励起され、緑色領域にピーク発光波長を有する第１の蛍光を放射する緑色蛍光体と、前記第１の一次光および前記第２の一次光のいずれかもしくは両方によって励起され、赤色領域にピーク発光波長を有する第２の蛍光を放射する赤色蛍光体と、を備え、相関色温度が２０００Ｋ以上６５００Ｋ以下であり、平均演色評価数Ｒａ８０以上の光を放射することが好ましい。
［３］  本発明に係る発光装置は、前記第１の一次光および前記第２の一次光のいずれかもしくは両方によって励起され、緑色領域にピーク発光波長を有する第１の蛍光を放射する緑色蛍光体と、前記第１の一次光および前記第２の一次光のいずれかもしくは両方によって励起され、赤色領域にピーク発光波長を有する第２の蛍光を放射する赤色蛍光体と、を備え、相関色温度が２０００Ｋ以上６５００Ｋ以下であり、平均演色評価数Ｒａ８０以上の光を放射する、発光装置である。【００１２】
［４］  本発明に係る発光装置において、前記発光装置の発光スペクトルにおいて、４５０ｎｍ以上５００ｎｍ以下の波長範囲内の最小発光強度である第１の発光強度Ｅ１に対する、４３０ｎｍ以上４６０ｎｍ以下の波長範囲内の最大発光強度である第２の発光強度Ｅ２の比（Ｅ２／Ｅ１）は、３．０以下であることが好ましい。
【発明の効果】
【００１３】
前述の発光特性の達成する方法としては、複数の波長領域それぞれに発光ピークをもつ発光素子１種類を用いても良いし、単一の波長領域に一つの発光ピークを持つ発光素子を複数種類組み合わせても良いし、複数の波長領域それぞれに発光ピークをもつ発光素子と単一の波長領域に一つの発光ピークを持つ発光素子とを組み合わせても良い。【００１４】
単一の波長領域に一つの発光ピークを持つ発光素子を複数種類組み合わせた場合には、発光素子の組合せの調整によって、発光装置の発光スペクトルをより緻密に制御することが可能となり、目的に近い発光スペクトルを得ることが容易になる。【００１５】
一方で、複数の波長領域それぞれに発光ピークをもつ発光素子１種類を用いた場合には、以下のような利点がある。一種類の発光素子から発光装置を構成することとなるため、発光装置の製造工程をより簡単なものと出来る。複数個の発光素子からなる発光装置では、発光装置中には複数の発光点が存在することとなる。異なる波長の発光素子を複数用いた場合、各々の発光点から異なる強度や色の光が発せられる可能性が高くなりそれぞれの発光点での発光色や発光強度の違い、あるいは発光点間隔の差（チップの基板への固定位置のばらつき）などで照射面での色ムラが出やすい。この影響はリフレクタやレンズなど照明器具の光学系によっては異なるが、特に照射角度の狭い照明器具ではその影響が顕著となる可能性が高い。一方で、複数の波長領域それぞれに発光ピークをもつ発光素子１種類を用いた発光装置の場合には、すべての発光点が同じ発光特性を示すため、異なる波長の発光素子を同時に搭載した発光装置の場合よりも、照明器具の光学設計は容易になり、且つ、照射面での輝度ムラや色ムラを抑制しやすくなる。すなわち、発光装置中の各発光素子から均一な光量・光色で発光することが照射面で輝度ムラや色ムラの少ない、質の高い光につながる。以上のように、複数の波長領域それぞれに発光ピークをもつ発光素子１種類を用いて発光装置を構成することで、製造工程が簡単になることや発光装置中のすべての発光素子が同じ特性をもつために輝度ムラや色ムラが生じず優れた光学特性が得られるといった効果を得ることが出来る。【００１６】
発光素子は単一の波長領域での発光を示すものが一般的であるが、単一の発光素子で複数の波長領域で発光を示すことが可能な発光素子もある。例えば、ＩｎＧａＮ系の発光ダイオードは単一の発光素子で複数の波長領域で発光を示すことが可能である。ＩｎＧａＮ系の発光ダイオードはその構造中に複数の発光層を持っており、それぞれの発光層でＩｎの濃度を調整することなどにより、各々の発光層からの発光波長を設計することが出来る。また、複数の発光層は、発光素子の発光面に対して垂直に積層されるため、発光素子の発光面内ではスペクトルに差が無い均一な光を得ることが出来る。このようにして、複数の波長領域それぞれに発光ピークをもつ発光素子をつくることができ、これを利用することで製造工程がより簡単な発光装置や輝度ムラや色ムラの小さい発光装置を実現することが出来る。【００１７】
本発明によれば、平均演色評価数Ｒａが高く、かつ、照射対象物の色のうち、特に白、赤、紺、黒の再現性の良い発光装置を提供することが可能となる。
【図面の簡単な説明】
【００１８】
【図１】（ａ）は本発明の実施形態１に係る発光装置Ａ１１の模式平面図であり、（ｂ）および（ｃ）はその断面図である。
【図２】本発明の実施形態２に係る発光装置Ａ１２の断面図である。
【図３】本発明の実施形態３に係る発光装置Ｂ１１の断面図である。
【図４】（ａ）は本発明の実施形態４に係る発光装置Ｂ１２の断面図であり、図（ｂ）は実施形態４の変形例の断面図である。
【図５】（ａ）は本発明の実施形態５に係る発光装置の模式平面図であり、（ｂ）はその断面図である。
【図６】実施例１および比較例１の発光装置の発光スペクトルを示す図である。
【図７】実施例２および比較例２の発光装置の発光スペクトルを示す図である。
【図８】実施例３および比較例３の発光装置の発光スペクトルを示す図である。
【図９】実施例４および比較例４の発光装置の発光スペクトルを示す図である。
【発明を実施するための形態】
【００１９】
以下、本発明の発光装置について図面を用いて説明する。なお、本発明の図面において、同一の参照符号は、同一部分または相当部分を表わすものである。また、長さ、幅、厚さ、深さなどの寸法関係は図面の明瞭化と簡略化のために適宜変更されており、実際の寸法関係を表わすものではない。
【００２０】
［実施形態１］
（発光装置の構成）
図１（ａ）は本発明の実施形態１の発光装置Ａ１１の構成を示す平面図であり、図１（ｂ）および（ｃ）は図１（ａ）に示すＡ−Ａ’線における断面図である。
【００２１】
本実施形態の発光装置Ａ１１は、基板Ａ１１１と、第１の発光素子Ａ１０１と、ダムリング（樹脂製枠体）１５１と、蛍光体を含む樹脂層（以下では単に「第１蛍光体含有樹脂層」と記す）１６０とを備える。第１の発光素子Ａ１０１は出力光のピーク波長が互いに異なる複数の発光ピークを持つ発光を示す。
【００２２】
基板Ａ１１１は、セラミックからなる基板であることが好ましく、平面視長方形の形状を有することが好ましい。基板Ａ１１１の一方の面（以下では「基板Ａ１１１の上面」と記す）には、第１の発光素子Ａ１０１とダムリング（樹脂製枠体）１５１と第１蛍光体含有樹脂層１６０とが設けられており、さらには、第１電極ランド１２１と第２電極ランド１２２とが設けられている。
【００２３】
ダムリング１５１は、第１蛍光体含有樹脂層１６０（第１蛍光体含有樹脂層１６０は樹脂１６１と緑色蛍光体１８１と赤色蛍光体１９１とを含む）の外形を規定する部材であり、第１蛍光体含有樹脂層１６０の形成時において樹脂１６１がダムリング１５１の外側へ漏れることを防止するためのダム（せき止め部材）として機能する。
【００２４】
第１電極ランド１２１および第２電極ランド１２２は、基板Ａ１１１の上面のうちダムリング１５１の外側に設けられており、好ましくは基板Ａ１１１の上面の角部に設けられ、より好ましくは基板Ａ１１１の対角線上に設けられている。第１電極ランド１２１および第２電極ランド１２２の各表面は露出しており、よって、第１電極ランド１２１および第２電極ランド１２２は外部端子と接続可能である。つまり、第１電極ランド１２１および第２電極ランド１２２のうち、一方は外部接続用アノード電極として機能し、他方は外部接続用カソード電極として機能する。
【００２５】
（発光素子）
（配置形態、接続形態）
第１の発光素子Ａ１０１は、好ましくはＬＥＤであり、より好ましくはＬＥＤチップである。第１の発光素子Ａ１０１は、配線（不図示）によって互いに電気的に接続されていることが好ましく、その配線は、第１電極ランド１２１および第２電極ランド１２２に接続されていることが好ましい。これにより、外部端子から第１電極ランド１２１または第２電極ランド１２２へ印加された外部電力は、配線によって第１の発光素子Ａ１０１に供給される。よって、第１の発光素子Ａ１０１が発光することとなる。
【００２６】
第１の発光素子Ａ１０１の配置形態は特に限定されない。しかし、第１の発光素子Ａ１０１は、基板Ａ１１１の上面のうちダムリング１５１により囲まれた領域において等間隔に配置されていることが好ましい。これにより、発光装置Ａ１１からの発光による照射面の輝度ムラを低減させることができる。よって、発光装置Ａ１１の光学特性を高く維持できる。
【００２７】
上述したように、第１の発光素子Ａ１０１の配置形態は特に限定されない。しかし、第１の発光素子Ａ１０１は、発光装置Ａ１１の発光スペクトルにおいて４４０ｎｍ以上４６０ｎｍ未満の波長範囲内および４６０ｎｍ以上４９０ｎｍ以下の波長範囲内のそれぞれにピークが現れるように、配置される必要がある。
【００２８】
第１の発光素子Ａ１０１の接続形態は特に限定されない。しかし、第１の発光素子Ａ１０１が直列接続されて構成された素子列を複数形成する場合には、各々の列における第１の発光素子Ａ１０１の直列接続数が同じとなるように第１の発光素子Ａ１０１を電気的に接続することが好ましい。これにより、発光装置Ａ１１に含まれる全ての発光素子に同等の電流（電流値が同一である）を流すことができる。よって、発光装置Ａ１１の光学特性を高く維持できる。
【００２９】
（発光素子の光学特性）
第１の発光素子Ａ１０１は、２つの波長領域に出力光のピーク波長をもち、４４０ｎｍ以上４６０ｎｍ未満、および、４６０ｎｍ以上４９０ｎｍ以下の波長領域に出力光のピークを有する（例えば出力光のピーク波長が４５０ｎｍおよび４７０ｎｍである）。つまり、第１の発光素子Ａ１０１は、発光素子であり、好ましくは発光ダイオードである。また、これにより、第１の発光素子Ａ１０１の出力光の少なくとも一部は、発光装置Ａ１１からの光（例えば白色光）の一部（例えば青色成分）を構成することとなる。
【００３０】
また、第１の発光素子Ａ１０１の出力光のうちの一部が緑色蛍光体１８１を励起して緑色光（ピーク波長が４９０ｎｍよりも長く５８０ｎｍ以下）を発生させ、第１の発光素子Ａ１０１の出力光のうちの残りの一部が赤色蛍光体１９１を励起して赤色光（ピーク波長が５８０ｎｍよりも長く７８０ｎｍ以下）を発生させる。つまり、第１の発光素子Ａ１０１の出力光のうちの一部は、緑色蛍光体１８１によって、発光装置Ａ１１からの光（例えば白色光）のうちの緑色成分を構成することとなる。また、第１の発光素子Ａ１０１の出力光のうちの残りの一部は、赤色蛍光体１９１によって、発光装置Ａ１１からの光（例えば白色光）のうちの赤色成分を構成することとなる。
【００３１】
（第１蛍光体含有樹脂層）
第１蛍光体含有樹脂層１６０は、樹脂１６１と緑色蛍光体１８１と赤色蛍光体１９１とを含む。第１蛍光体含有樹脂層１６０は、樹脂１６１と緑色蛍光体１８１と赤色蛍光体１９１とが基板Ａ１１１の上面のうちダムリング１５１により囲まれた領域に充填された後、樹脂１６１が硬化されることによって形成されたものであることが好ましい。また、第１蛍光体含有樹脂層１６０は、基板Ａ１１１の上面のうちダムリング１５１により囲まれた領域に配置された第１の発光素子Ａ１０１を埋め込むように設けられていることが好ましい。つまり、本実施形態では、第１の発光素子Ａ１０１は、第１蛍光体含有樹脂層１６０によって、一括して封止されている。本明細書では、「一括して封止」とは、同じ樹脂で封止することを意味する。
【００３２】
第１蛍光体含有樹脂層１６０に含まれる樹脂１６１は、透光性に優れた樹脂であることが好ましく、より好ましくは、第１の発光素子Ａ１０１の出力光、緑色蛍光体１８１が発した緑色光、及び、赤色蛍光体１９１が発した赤色光を透過可能な樹脂である。樹脂１６１は、樹脂封止型発光装置に含まれる封止樹脂として使用可能な樹脂であれば特に限定されず、例えば、ジメチル系シリコン樹脂、フェニル系シリコン樹脂、または、エポキシ樹脂などであることが好ましい。
【００３３】
緑色蛍光体１８１は２価のユーロピウムを賦活したβ型ＳｉＡｌＯＮであることが好ましく、赤色蛍光体１９１はＳｒｘＣａ１−ｘＡｌＳｉＮ３：Ｅｕ２＋であることが好ましい。緑色蛍光体１８１および赤色蛍光体１９１としては、これらに限定されず、以下に示す蛍光体であっても良い。また、蛍光体の励起特性を鑑みて最適な条件となるように発光素子と蛍光体との組み合わせを選択することが好ましい。
【００３４】
また、第１蛍光体含有樹脂層１６０は、緑色蛍光体１８１および赤色蛍光体１９１のうちの１つのみを含んでいても良い。緑色蛍光体１８１として２種類以上の緑色蛍光体１８１を用いても良いし、赤色蛍光体１９１として２種類以上の赤色蛍光体１９１を用いても良い。しかし、第１蛍光体含有樹脂層１６０が１種以上の緑色蛍光体１８１と１種以上の赤色蛍光体１９１とを含んでいれば、発光装置Ａ１１を白色発光装置として機能させることができる。
【００３５】
（緑色蛍光体）
緑色蛍光体１８１は、第１の発光素子Ａ１０１の出力光によって励起され緑色に発光する蛍光体であり、例えば、下記（１）〜（７）であることが好ましい。緑色蛍光体１８１としては、下記（１）〜（７）のうちのいずれか１つを用いても良いし、下記（１）〜（７）のうちの２つ以上を併用しても良い。
【００３６】
（１）  一般式Ｅｕａ１Ｓｉｂ１Ａｌｃ１Ｏｄ１Ｎｅ１（０．００１≦ａ１≦０．２）で表されるβ型ＳｉＡｌＯＮ（２価のユーロピウムを賦活した酸窒化物蛍光体）、
（２）  （ＭＩ）３−ｘ２Ｃｅｘ２（ＭＩＩ）５Ｏ１２（ＭＩはＬｕ、Ｙ、ＬａおよびＧｄのうちの少なくとも１つを示す。ＭＩＩはＡｌおよびＧａのうちの少なくとも１つを示す。０．００５≦ｘ２≦０．３）で表されるガーネット型結晶構造を有する蛍光体（３価のセリウムを賦活した酸化物蛍光体）、
（３）  （ＭＩＩＩ）２−ｘ３Ｅｕｘ３ＳｉＯ４（ＭＩＩＩはＭｇ、Ｃａ、ＳｒおよびＢａのうちの少なくとも１つを示す。０．００５≦ｘ３≦０．４）で表される蛍光体（２価のユーロピウムを賦活した珪酸塩蛍光体）、
（４）  （ＭＩＩＩ）３−ｘ４Ｃｅｘ４（ＭＩＶ）２Ｓｉ３Ｏ１２（ＭＩＩＩはＭｇ、Ｃａ、ＳｒおよびＢａのうちの少なくとも１つを示す。ＭＩＶはＬｉ、Ｎａ、Ｋ、Ｃｓ、Ｒｂ、Ｍｇ、Ｃａ、Ｂａ、Ａｌ、Ｇａ、Ｉｎ、Ｓｃ、Ｙ、Ｌａ、ＧｄおよびＬｕのうちの少なくとも１つを示す。０．００５≦ｘ４≦０．３）で表される蛍光体（３価のセリウムを賦活した珪酸塩蛍光体）、
（５）  （ＭＩ）３−ｘ５Ｃｅｘ５Ｓｉ６Ｎ１１（ＭＩはＬｕ、Ｙ、ＬａおよびＧｄのうちの少なくとも１つを示す。０．００５≦ｘ５≦０．２）で表される蛍光体（３価のセリウムを賦活した窒化物蛍光体）、
（６）  （ＭＶ）１−ａ６Ｅｕａ６Ｍｇ１−ｘ６Ａｌ１０−ｙ６Ｍｎｘ６＋ｙ６Ｏ１７（ＭＶはＳｒおよびＢａのうちの少なくとも１つを示す。０．００５≦ａ６≦０．２、０．００５≦ｘ６＋ｙ６≦０．２）で表される蛍光体（２価のユーロピウムと２価のマンガンとを賦活したアルミン酸塩蛍光体）、
（７）  （ＭＶ）３−ａ７Ｅｕａ７Ｓｉ６Ｏ１２Ｎ２（ＭＶはＳｒおよびＢａのうちの少なくとも１つを示す。０．００５≦ａ７≦０．２）で表される蛍光体（２価のユーロピウムと２価のマンガンとを賦活した珪酸塩蛍光体）。
【００３７】
（赤色蛍光体）
赤色蛍光体１９１は、第１の発光素子Ａ１０１の出力光によって励起され赤色に発光する蛍光体であり、例えば、下記（１１）〜（１５）であることが好ましい。赤色蛍光体１９１としては、下記（１１）〜（１５）のうちのいずれか１つを用いても良いし、下記（１１）〜（１５）のうちの２つ以上を併用しても良い。
【００３８】
（１１）  （ＭＩＩＩ）１−ｘ１１Ｅｕｘ１１（ＭＶＩ）ＳｉＮ３（ＭＩＩＩはＭｇ、Ｃａ、ＳｒおよびＢａのうちの少なくとも１つを示す。ＭＶＩはＡｌ、Ｇａ、Ｉｎ、Ｓｃ、Ｙ、Ｌａ、ＧｄおよびＬｕのうちの少なくとも１つを示す。０．００５≦ｘ１１≦０．２）で表される蛍光体（２価のユーロピウムを賦活した窒化物蛍光体）、
（１２）  （ＭＩＩＩ）２−ｘ１２Ｅｕｘ１２Ｓｉ５Ｎ８（ＭＩＩＩはＭｇ、Ｃａ、ＳｒおよびＢａのうちの少なくとも１つを示す。０．００５≦ｘ１２≦０．２）で表される蛍光体（２価のユーロピウムを賦活した窒化物蛍光体）、
（１３）  Ｅｕｆ（ＭＶＩＩ）ｇＳｉｈＡｌｉＯｊＮｋ（ＭＶＩＩはＬｉ、Ｎａ、Ｋ、Ｒｂ、Ｃｓ、Ｍｇ、Ｃａ、Ｓｒ、Ｂａ、Ｓｃ、Ｙ、ＬａおよびＧｄのうちの少なくとも１つを示す。０．００１≦ｆ≦０．２）で表されるα型ＳｉＡｌＯＮ（２価のユーロピウムを賦活した酸窒化物蛍光体）、
（１４）  （ＭＶＩＩＩ）２（（ＭＩＸ）１−ｘ１４Ｍｎｘ１４）Ｆ６（ＭＶＩＩＩはＬｉ、Ｎａ、Ｋ、ＲｂおよびＣｓのうちの少なくとも１つを示す。ＭＩＸはＧｅ、Ｓｉ、Ｓｎ、ＴｉおよびＺｒのうちの少なくとも１つを示す。０．００５≦ｘ１４≦０．３）で表される蛍光体（４価のマンガンを賦活したフッ化金属塩蛍光体）、
（１５）  （ＭＸ）２−ｘ１５Ｅｕｘ１５Ｏ３−ｙ１５Ｓｙ１５（ＭＸはＹ、ＬａおよびＧｄのうちの少なくとも１つを示す。０．００５≦ｘ１５≦０．４、０．０≦ｙ１５≦２．０）で表される蛍光体（３価のユーロピウムを賦活した硫酸化物蛍光体）。
【００３９】
［発光装置の異なる形態］
なお、発光装置Ａ１１は、次に示す構成をさらに有していても良い。
【００４０】
第１の発光素子Ａ１０１に加えて、３８０ｎｍ以上４４０ｎｍ未満の波長領域に発光ピークを有する第２の発光素子Ａ１０２を用いても良い。第２の発光素子Ａ１０２は３８０ｎｍ以上４４０ｎｍ未満の波長領域に発光ピークを有するため、発光素子の組み合わせの幅が広がり、また、蛍光体の選択の幅が広がる。より具体的には第１の発光素子Ａ１０１の出力光によって励起され難い蛍光体を含む樹脂を用いた場合であっても、第２の発光素子Ａ１０２の出力光により蛍光体の発光効率を高く維持しうる。よって、発光装置Ａ１１の発光効率をさらに高めることができる。これにより、多様な発光スペクトルを実現できる。よって、発光スペクトルの設計の自由度を高めることができるので、発光装置Ａ１１において所望の発光スペクトルを得ることがより容易になる。
【００４１】
（青色蛍光体）
第１蛍光体含有樹脂層１６０の代わりに、樹脂１６１、緑色蛍光体１８１および赤色蛍光体１９１に加えて青色蛍光体２０１をさらに含む第２蛍光体含有樹脂層２６０を用いても良い（図１（ｃ））。発光装置Ａ１１の演色性を高めるためには、発光装置Ａ１１が発する光のスペクトルがブロードなバンドを有することが有利である。ここで、発光素子の出力光のスペクトルは、蛍光体の発光スペクトルに比べてブロードなバンドを有する。そのため、青色蛍光体２０１を用いることにより発光装置Ａ１１の演色性を高め易くなる。図１（ｃ）は、本実施形態における発光装置の変形例を示す断面図である。第１蛍光体含有樹脂層１６０の代わりに第２蛍光体含有樹脂層２６０を用いても良いことは後述の実施形態２〜５においても言える。
【００４２】
青色蛍光体２０１は、第１の発光素子Ａ１０１と第２の発光素子Ａ１０２からの出力光のいずれかもしくは両者によって励起され青色に発光する蛍光体であり、下記（２１）に示す２価のユーロピウムを賦活したハロリン酸化物であっても良いし、下記（２２）に示す２価のユーロピウムを賦活したアルミ酸化物であっても良いし、下記（２３）に示す３価のセリウムを賦活した窒化物であっても良い。青色蛍光体２０１としては、下記（２１）〜（２３）のうちのいずれか１つを用いても良いし、下記（２１）〜（２３）のうちの２つ以上を併用しても良い。
【００４３】
（２１）  （ＭＸＩ）５−ｘ２１Ｅｕｘ２１（ＰＯ４）３（ＭＸＩＩ）（ＭＸＩはＣａ、ＳｒおよびＢａのうちの少なくとも１つを示す。ＭＸＩＩはＦ、ＣｌおよびＢｒのうちの少なくとも１つを示す。０．１≦ｘ２１≦１．５）で表される蛍光体（２価のユーロピウムを賦活したリン酸化物蛍光体）、
（２２）  （ＭＸＩＩＩ）１−ａ２２Ｅｕａ２２ＭｇＡｌ１０Ｏ１７（ＭＸＩＩＩはＳｒおよびＢａのうちの少なくとも１つを示す。０．００５≦ａ２２≦０．２）で表される蛍光体（２価のユーロピウムを賦活したアルミ酸化物蛍光体）、
（２３）  （ＭＩ）１−ｘ２３Ｃｅｘ２３Ｓｉ３Ｎ５（ＭＩはＬｕ、Ｙ、ＬａおよびＧｄのうちの少なくとも１つを示す。０．００５≦ｘ２３≦０．２）で表される蛍光体（３価のセリウムを賦活した窒化物蛍光体）。
【００４４】
［照明装置またはバックライト装置などの発光装置への応用］
発光装置Ａ１１が上記光学特性を有しているので、発光装置Ａ１１を発光装置（発光装置の一例としては照明装置またはバックライト装置などが挙げられる）の光源として用いることができる。つまり、本実施形態の発光装置は、発光装置Ａ１１を含む。これにより、上記光学特性を有する照明装置またはバックライト装置などの発光装置を提供できる。なお、本実施形態の照明装置またはバックライト装置では、発光装置以外の構成については、従来公知の照明装置またはバックライト装置が有する構成を限定されることなく用いることができる。
【００４５】
［実施形態２］
本発明の実施形態２では、図２に示すように発光装置Ａ１２は第１の発光素子Ａ１０１を備えた、リードフレームタイプの表面実装（ＳＭＤ）型発光装置である。
【００４６】
本発明の実施形態２では、発光装置Ａ１２は２種類の波長領域に発光ピークを有する第１の発光素子Ａ１０１を少なくとも１つ以上備えている。
【００４７】
本実施形態の光源Ａ１２は、図２に示すように、フレームＡ１１２上に１個の第１の発光素子Ａ１０１が搭載されている。第１の発光素子Ａ１０１の周囲には、該発光素子Ａ１０１を覆うようにして、樹脂１６１中に緑色蛍光体１８１および赤色蛍光体１９１を分散又は沈降させた第１蛍光体含有樹脂層１６０が設けられている。
【００４８】
上記フレームＡ１１２は、例えば白色樹脂の基材からなっている。これにより、可視光反射特性、すなわち光取出し効率の高いフレームＡ１１２を提供することができる。
【００４９】
上記フレームＡ１１２においては、電極Ａ１２９およびＡ１３０が設けられている。したがって、フレームＡ１１２に搭載された第１の発光素子Ａ１０１は、電力を供給するために、図示しない貫通電極を通して上記電極Ａ１２９およびＡ１３０に接続されている。ただし、必ずしも貫通電極に限らず、例えば、フレームＡ１１２の側面に電極Ａ１２９およびＡ１３０が形成されていてもよい。
【００５０】
本実施形態の発光装置Ａ１２では、上述したように、第１の発光素子Ａ１０１を覆うように緑色蛍光体１８１および赤色蛍光体１９１を分散又は沈降させた第１蛍光体含有樹脂層１６０が設けられている。この第１蛍光体含有樹脂層１６０における、上記緑色蛍光体１８１および赤色蛍光体１９１を分散又は沈降させている樹脂１６１は、透明のシリコーン樹脂からなっている。
【００５１】
フレームＡ１１２の一方の面（以下では「フレームＡ１１２の上面」と記す）には、第１の発光素子Ａ１０１と第１蛍光体含有樹脂層１６０とが設けられている。第１蛍光体含有樹脂層１６０は、第１の発光素子Ａ１０１を封止しており、フレームＡ１１２の上面のうちフレーム壁面で囲まれた領域に設けられている。
【００５２】
また、フレームＡ１１２の壁面の内周面は、フレームＡ１１２の上面に対して垂直であっても良い。しかし、フレームＡ１１２の上面から第１蛍光体含有樹脂層１６０の上面へ向かうにつれての開口径が大きくなるように、フレームＡ１１２の上面に対してフレーム壁面の内周面が傾斜していることが好ましい。これにより、光を効率良く取り出すことができる。
【００５３】
また、フレーム壁面は設けられていなくても良い。例えば、樹脂１６１としてチクソ性の高い樹脂を用いれば、フレーム壁面が設けられていなくても樹脂１６１がフレームＡ１１２の上面の周縁へ流動することを防止できる。また、フレームＡ１１２として平面視長方形の形状を有する基板（図２ではなくセラミックから成る平面の基板）を用いて、表面実装型光源部を構成しても良い。
【００５４】
［発光装置の異なる形態］
なお、発光装置Ａ１２は、次に示す構成をさらに有していても良い。
【００５５】
第１の発光素子Ａ１０１に加えて、３８０ｎｍ以上４４０ｎｍ未満の波長領域に発光ピークを有する第２の発光素子Ａ１０２を用いても良い。第２の発光素子Ａ１０２は３８０ｎｍ以上４４０ｎｍ未満の波長領域に発光ピークを有するため、発光素子の組み合わせの幅が広がり、また、蛍光体の選択の幅が広がる。より具体的には第１の発光素子Ａ１０１の出力光によって励起され難い蛍光体を含む樹脂を用いた場合であっても、第２の発光素子Ａ１０２の出力光により蛍光体の発光効率を高く維持しうる。よって、発光装置Ａ１２の発光効率をさらに高めることができる。これにより、多様な発光スペクトルを実現できる。よって、発光スペクトルの設計の自由度を高めることができるので、発光装置Ａ１２において所望の発光スペクトルを得ることがより容易になる。
【００５６】
（青色蛍光体）
第１蛍光体含有樹脂層１６０の代わりに、樹脂１６１、緑色蛍光体１８１および赤色蛍光体１９１に加えて青色蛍光体２０１をさらに含む第２蛍光体含有樹脂層２６０を用いても良い（図１（ｃ）参照）。発光装置Ａ１２の演色性を高めるためには、発光装置Ａ１２が発する光のスペクトルがブロードなバンドを有することが有利である。ここで、発光素子の出力光のスペクトルは、蛍光体の発光スペクトルに比べてブロードなバンドを有する。そのため、青色蛍光体２０１を用いることにより発光装置Ａ１２の演色性を高め易くなる。
【００５７】
青色蛍光体２０１は、第１の発光素子Ａ１０１と第２の発光素子Ａ１０２からの出力光のいずれかもしくは両者によって励起され青色に発光する蛍光体であり、下記（２１）に示す２価のユーロピウムを賦活したハロリン酸化物であっても良いし、下記（２２）に示す２価のユーロピウムを賦活したアルミ酸化物であっても良いし、下記（２３）に示す３価のセリウムを賦活した窒化物であっても良い。青色蛍光体２０１としては、下記（２１）〜（２３）のうちのいずれか１つを用いても良いし、下記（２１）〜（２３）のうちの２つ以上を併用しても良い。
【００５８】
（２１）  （ＭＸＩ）５−ｘ２１Ｅｕｘ２１（ＰＯ４）３（ＭＸＩＩ）（ＭＸＩはＣａ、ＳｒおよびＢａのうちの少なくとも１つを示す。ＭＸＩＩはＦ、ＣｌおよびＢｒのうちの少なくとも１つを示す。０．１≦ｘ２１≦１．５）で表される蛍光体（２価のユーロピウムを賦活したリン酸化物蛍光体）、
（２２）  （ＭＸＩＩＩ）１−ａ２２Ｅｕａ２２ＭｇＡｌ１０Ｏ１７（ＭＸＩＩＩはＳｒおよびＢａのうちの少なくとも１つを示す。０．００５≦ａ２２≦０．２）で表される蛍光体（２価のユーロピウムを賦活したアルミ酸化物蛍光体）、
（２３）  （ＭＩ）１−ｘ２３Ｃｅｘ２３Ｓｉ３Ｎ５（ＭＩはＬｕ、Ｙ、ＬａおよびＧｄのうちの少なくとも１つを示す。０．００５≦ｘ２３≦０．２）で表される蛍光体（３価のセリウムを賦活した窒化物蛍光体）。
【００５９】
［照明装置またはバックライト装置などの発光装置への応用］
発光装置Ａ１２が上記光学特性を有しているので、発光装置Ａ１２を発光装置の光源として用いることができる。つまり、本実施形態の発光装置は、発光装置Ａ１２を含む。これにより、上記光学特性を有する照明装置またはバックライト装置などの発光装置を提供できる。なお、本実施形態の照明装置またはバックライト装置では、発光装置以外の構成については、従来公知の照明装置またはバックライト装置が有する構成を限定されることなく用いることができる。
【００６０】
［実施形態３］
本発明の実施形態３では、図３に示すように発光装置Ｂ１１は、第１の発光素子Ｂ１０１および第２の発光素子Ｂ１０２を備えた、リードフレームタイプのＳＭＤ型発光装置である。
【００６１】
本発明の実施形態３では、発光装置Ｂ１１は２種類の波長領域に発光ピークを有する第１の発光素子Ｂ１０１と第２の発光素子Ｂ１０２のそれぞれを少なくとも１つ以上備えている。以下では、第１の発光素子Ｂ１０１および第２の発光素子Ｂ１０２それぞれ１つずつが搭載されている場合を例に示す。
【００６２】
本実施形態の発光装置Ｂ１１は、図３に示すように、フレームＢ１１１上に１個の第１の発光素子Ｂ１０１および１個の第２の発光素子Ｂ１０２が搭載されている。第１の発光素子Ｂ１０１および第２の発光素子Ｂ１０２の周囲には、該発光素子Ｂ１０１およびＢ１０２を覆うようにして、樹脂１６１中に緑色蛍光体１８１および赤色蛍光体１９１を分散又は沈降させた第１蛍光体含有樹脂層１６０が設けられている。
【００６３】
上記フレームＢ１１１は、例えば白色樹脂の基材からなっている。これにより、可視光反射特性、すなわち光取出し効率の高いフレームＢ１１１を提供することができる。
【００６４】
上記フレームＢ１１１においては、電極Ｂ１２９およびＢ１３０が設けられている。したがって、フレームＢ１１１に搭載された第１の発光素子Ｂ１０１および第２の発光素子Ｂ１０２は、電力を供給するために、図示しない貫通電極を通して上記電極Ｂ１２９およびＢ１３０に接続されている。ただし、必ずしも貫通電極に限らず、例えば、フレームＢ１１１の側面に電極Ｂ１２９およびＢ１３０が形成されていてもよい。
【００６５】
本実施形態の発光装置Ｂ１１では、上述したように、第１の発光素子Ｂ１０１および第２の発光素子Ｂ１０２を覆うように緑色蛍光体１８１および赤色蛍光体１９１を分散又は沈降させた第１蛍光体含有樹脂層１６０が設けられている。この第１蛍光体含有樹脂層１６０における、上記緑色蛍光体１８１および赤色蛍光体１９１を分散又は沈降させている樹脂１６１は、透明のシリコーン樹脂からなっている。
【００６６】
フレームＢ１１１の一方の面（以下では「フレームＢ１１１の上面」と記す）には、第１の発光素子Ｂ１０１と第２の発光素子Ｂ１０２と第１蛍光体含有樹脂層１６０とが設けられている。第１蛍光体含有樹脂層１６０は、第１の発光素子Ｂ１０１を封止しており、フレームＢ１１１の上面のうちフレーム壁面で囲まれた領域に設けられている。
【００６７】
また、フレームＢ１１１の壁面の内周面は、フレームＢ１１１の上面に対して垂直であっても良い。しかし、フレームＢ１１１の上面から第１蛍光体含有樹脂層１６０の上面へ向かうにつれての開口径が大きくなるように、フレームＢ１１１の上面に対してフレーム壁面の内周面が傾斜していることが好ましい。これにより、光を効率良く取り出すことができる。
【００６８】
また、フレーム壁面は設けられていなくても良い。例えば、樹脂１６１としてチクソ性の高い樹脂を用いれば、フレーム壁面が設けられていなくても樹脂１６１がフレームＢ１１１の上面の周縁へ流動することを防止できる。また、フレームＢ１１１として平面視長方形の形状を有する基板（図３ではなくセラミックから成る平面の基板）を用いて、表面実装型光源部を構成しても良い。
【００６９】
［発光装置の異なる形態］
なお、発光装置Ｂ１１は、次に示す構成をさらに有していても良い。
【００７０】
第１の発光素子Ｂ１０１および第２の発光素子Ｂ１０２に加えて、３８０ｎｍ以上４４０ｎｍ未満の波長領域に発光ピークを持つ第３の発光素子Ｂ１０３を用いても良い。第３の発光素子Ｂ１０３は３８０ｎｍ以上４４０ｎｍ未満の波長領域に発光ピークを有するため、発光素子の組み合わせの幅が広がり、また、蛍光体の選択の幅が広がる。より具体的には第１の発光素子Ｂ１０１や第２の発光素子Ｂ１０２の出力光によって励起され難い蛍光体を含む樹脂を用いた場合であっても、第３の発光素子Ｂ１０３の出力光により蛍光体の発光効率を高く維持しうる。よって、発光装置Ｂ１１の発光効率をさらに高めることができる。これにより、多様な発光スペクトルを実現できる。よって、発光スペクトルの設計の自由度を高めることができるので、発光装置Ｂ１１において所望の発光スペクトルを得ることがより容易になる。
【００７１】
（青色蛍光体）
第１蛍光体含有樹脂層１６０の代わりに、樹脂１６１、緑色蛍光体１８１および赤色蛍光体１９１に加えて青色蛍光体２０１をさらに含む第２蛍光体含有樹脂層２６０を用いても良い。発光装置Ｂ１１の演色性を高めるためには、発光装置Ｂ１１が発する光のスペクトルがブロードなバンドを有することが有利である。ここで、発光素子の出力光のスペクトルは、蛍光体の発光スペクトルに比べてブロードなバンドを有する。そのため、青色蛍光体２０１を用いることにより発光装置Ｂ１１の演色性を高め易くなる。
【００７２】
青色蛍光体２０１は、第１の発光素子Ｂ１０１と第２の発光素子Ｂ１０２、そして第３の発光素子Ｂ１０３からの出力光のいずれかもしくは全てによって励起され青色に発光する蛍光体であり、下記（２１）に示す２価のユーロピウムを賦活したハロリン酸化物であっても良いし、下記（２２）に示す２価のユーロピウムを賦活したアルミ酸化物であっても良いし、下記（２３）に示す３価のセリウムを賦活した窒化物であっても良い。青色蛍光体２０１としては、下記（２１）〜（２３）のうちのいずれか１つを用いても良いし、下記（２１）〜（２３）のうちの２つ以上を併用しても良い。
【００７３】
（２１）  （ＭＸＩ）５−ｘ２１Ｅｕｘ２１（ＰＯ４）３（ＭＸＩＩ）（ＭＸＩはＣａ、ＳｒおよびＢａのうちの少なくとも１つを示す。ＭＸＩＩはＦ、ＣｌおよびＢｒのうちの少なくとも１つを示す。０．１≦ｘ２１≦１．５）で表される蛍光体（２価のユーロピウムを賦活したリン酸化物蛍光体）、
（２２）  （ＭＸＩＩＩ）１−ａ２２Ｅｕａ２２ＭｇＡｌ１０Ｏ１７（ＭＸＩＩＩはＳｒおよびＢａのうちの少なくとも１つを示す。０．００５≦ａ２２≦０．２）で表される蛍光体（２価のユーロピウムを賦活したアルミ酸化物蛍光体）、
（２３）  （ＭＩ）１−ｘ２３Ｃｅｘ２３Ｓｉ３Ｎ５（ＭＩはＬｕ、Ｙ、ＬａおよびＧｄのうちの少なくとも１つを示す。０．００５≦ｘ２３≦０．２）で表される蛍光体（３価のセリウムを賦活した窒化物蛍光体）。
【００７４】
［照明装置またはバックライト装置などの発光装置への応用］
発光装置Ｂ１１が上記光学特性を有しているので、発光装置Ｂ１１を発光装置の光源として用いることができる。つまり、本実施形態の発光装置は、発光装置Ｂ１１を含む。これにより、上記光学特性を有する照明装置またはバックライト装置などの発光装置を提供できる。なお、本実施形態の照明装置またはバックライト装置では、発光装置以外の構成については、従来公知の照明装置またはバックライト装置が有する構成を限定されることなく用いることができる。
【００７５】
［実施形態４］
本発明の実施形態４では、図４に示すように発光装置Ｂ１２は、第１の発光素子Ｂ１０１および第２の発光素子Ｂ１０２を備えた、二重封止タイプのＳＭＤ型発光装置である。
【００７６】
本発明の実施形態４では、発光装置Ｂ１２は異なる波長領域に発光ピークを有する第１の発光素子Ｂ１０１と第２の発光素子Ｂ１０２のそれぞれを少なくとも１つ以上備えている。以下では、第１の発光素子Ｂ１０１および第２の発光素子Ｂ１０２それぞれ一つずつが搭載されている場合を例に示す。
【００７７】
本実施形態の発光装置Ｂ１２は、図４（ａ）に示すように、基板Ｂ１１２上に１個の第１の発光素子Ｂ１０１および１個の第２の発光素子Ｂ１０２が搭載されている。第１の発光素子Ｂ１０１および第２の発光素子Ｂ１０２の周囲には、該発光素子Ｂ１０１およびＢ１０２を覆うようにして、樹脂１６１中に緑色蛍光体１８１および赤色蛍光体１９１を分散又は沈降させた第１蛍光体含有樹脂層１６０が設けられている。さらにその第１蛍光体含有樹脂層１６０を覆うようにして透明のシリコーン樹脂１６２が設けられている。したがって、本実施形態の発光装置Ｂ１２は、基板Ｂ１１２の上に、第１の発光素子Ｂ１０１および第２の発光素子Ｂ１０２を第１蛍光体含有樹脂層１６０及びシリコーン樹脂１６２にて２重に封止したパッケージを有している。
【００７８】
上記基板Ｂ１１２は、例えばセラミックの基材からなっている。これにより、放熱性能の高い基板Ｂ１１２を提供することができる。
【００７９】
上記基板Ｂ１１２においては、裏面に電極Ｂ１２９およびＢ１３０が設けられている。したがって、基板Ｂ１１２に搭載された第１の発光素子Ｂ１０１および第２の発光素子Ｂ１０２は、電力を供給するために、図示しない貫通電極を通して上記電極Ｂ１２９およびＢ１３０に接続されている。ただし、必ずしも貫通電極に限らず、例えば、基板Ｂ１１２の側面に電極Ｂ１２９およびＢ１３０が形成されていてもよい。
【００８０】
本実施形態の発光装置Ｂ１２では、上述したように、第１の発光素子Ｂ１０１および第２の発光素子Ｂ１０２を覆うように緑色蛍光体１８１および赤色蛍光体１９１を分散又は沈降させた第１蛍光体含有樹脂層１６０が設けられている。この第１蛍光体含有樹脂層１６０における、上記緑色蛍光体１８１および赤色蛍光体１９１を分散又は沈降させている樹脂１６１は、透明のシリコーン樹脂からなっている。
【００８１】
基板Ｂ１１２の一方の面（以下では「基板Ｂ１１２の上面」と記す）には、第１の発光素子Ｂ１０１と第２の発光素子Ｂ１０２とダムリング１５１と第１蛍光体含有樹脂層１６０とが設けられている。第１蛍光体含有樹脂層１６０は、第１の発光素子Ｂ１０１を封止しており、基板Ｂ１１２の上面のうちダムリング１５１で囲まれた領域に設けられている。
【００８２】
また、ダムリング１５１の内周面は、基板Ｂ１１２の上面に対して垂直であっても良い。しかし、基板Ｂ１１２の上面から第１蛍光体含有樹脂層１６０の上面へ向かうにつれてダムリング１５１の開口径が大きくなるように、基板Ｂ１１２の上面に対してダムリング１５１の内周面が傾斜していることが好ましい。これにより、光を効率良く取り出すことができる。
【００８３】
また、ダムリング１５１は設けられていなくても良い。例えば、樹脂１６１としてチクソ性の高い樹脂を用いれば、ダムリング１５１が設けられていなくても樹脂１６１が基板Ｂ１１２の上面の周縁へ流動することを防止できる。また、基板Ｂ１１２として平面視長方形の形状を有する基板（図４（ａ））ではなくバスタブ形状の基板（例えばリードフレーム基板）を用いて、表面実装型光源部を構成しても良い。
【００８４】
［発光装置の異なる形態］
なお、発光装置Ｂ１２は、次に示す構成をさらに有していても良い。
【００８５】
第１の発光素子Ｂ１０１および第２の発光素子Ｂ１０２に加えて、３８０ｎｍ以上４４０ｎｍ未満の波長領域に発光ピークを持つ第３の発光素子Ｂ１０３を用いても良い。第３の発光素子Ｂ１０３は３８０ｎｍ以上４４０ｎｍ未満の波長領域に発光ピークを有するため、発光素子の組み合わせの幅が広がり、また、蛍光体の選択の幅が広がる。より具体的には第１の発光素子Ｂ１０１や第２の発光素子Ｂ１０２の出力光によって励起され難い蛍光体を含む樹脂を用いた場合であっても、第３の発光素子Ｂ１０３の出力光により蛍光体の発光効率を高く維持しうる。よって、発光装置Ｂ１２の発光効率をさらに高めることができる。これにより、多様な発光スペクトルを実現できる。よって、発光スペクトルの設計の自由度を高めることができるので、発光装置Ｂ１２において所望の発光スペクトルを得ることがより容易になる。
【００８６】
（青色蛍光体）
第１蛍光体含有樹脂層１６０の代わりに、樹脂１６１、緑色蛍光体１８１および赤色蛍光体１９１に加えて青色蛍光体２０１をさらに含む第２蛍光体含有樹脂層２６０を用いても良い。発光装置Ｂ１２の演色性を高めるためには、発光装置Ｂ１２が発する光のスペクトルがブロードなバンドを有することが有利である。ここで、発光素子の出力光のスペクトルは、蛍光体の発光スペクトルに比べてブロードなバンドを有する。そのため、青色蛍光体２０１を用いることにより発光装置Ｂ１２の演色性を高め易くなる。
【００８７】
青色蛍光体２０１は、第１の発光素子Ｂ１０１と第２の発光素子Ｂ１０２、そして第３の発光素子Ｂ１０３からの出力光のいずれかもしくは全てによって励起され青色に発光する蛍光体であり、下記（２１）に示す２価のユーロピウムを賦活したハロリン酸化物であっても良いし、下記（２２）に示す２価のユーロピウムを賦活したアルミ酸化物であっても良いし、下記（２３）に示す３価のセリウムを賦活した窒化物であっても良い。青色蛍光体２０１としては、下記（２１）〜（２３）のうちのいずれか１つを用いても良いし、下記（２１）〜（２３）のうちの２つ以上を併用しても良い。
【００８８】
（２１）  （ＭＸＩ）５−ｘ２１Ｅｕｘ２１（ＰＯ４）３（ＭＸＩＩ）（ＭＸＩはＣａ、ＳｒおよびＢａのうちの少なくとも１つを示す。ＭＸＩＩはＦ、ＣｌおよびＢｒのうちの少なくとも１つを示す。０．１≦ｘ２１≦１．５）で表される蛍光体（２価のユーロピウムを賦活したリン酸化物蛍光体）、
（２２）  （ＭＸＩＩＩ）１−ａ２２Ｅｕａ２２ＭｇＡｌ１０Ｏ１７（ＭＸＩＩＩはＳｒおよびＢａのうちの少なくとも１つを示す。０．００５≦ａ２２≦０．２）で表される蛍光体（２価のユーロピウムを賦活したアルミ酸化物蛍光体）、
（２３）  （ＭＩ）１−ｘ２３Ｃｅｘ２３Ｓｉ３Ｎ５（ＭＩはＬｕ、Ｙ、ＬａおよびＧｄのうちの少なくとも１つを示す。０．００５≦ｘ２３≦０．２）で表される蛍光体（３価のセリウムを賦活した窒化物蛍光体）。
【００８９】
透明のシリコーン樹脂１６２は配置されていなくても良い（図４（ｂ）参照）。透明のシリコーン樹脂１６２があることで、レンズ効果により、光取出し効率の向上や発光の配向特性の狭角化が期待できる。一方、製造工程をより簡単にしたい場合や発光の配向特性を広角化したい場合には、透明シリコーン樹脂１６２を配置しないことが適している。このように透明のシリコーン樹脂１６２の配置の有無により発光装置Ｂ１２の設計自由度を高めることができるので、発光装置Ｂ１２において所望の発光特性を得ることがより容易になる。
【００９０】
［照明装置またはバックライト装置などの発光装置への応用］
発光装置Ｂ１２が上記光学特性を有しているので、発光装置Ｂ１２を発光装置の光源として用いることができる。つまり、本実施形態の発光装置は、発光装置Ｂ１２を含む。これにより、上記光学特性を有する照明装置またはバックライト装置などの発光装置を提供できる。なお、本実施形態の照明装置またはバックライト装置では、発光装置以外の構成については、従来公知の照明装置またはバックライト装置が有する構成を限定されることなく用いることができる。
【００９１】
［実施形態５］
本発明の一実施形態における発光装置１について、図５（ａ），（ｂ）を用いて説明する。図５（ａ）は、本発明の一実施形態に係る発光装置の一例の模式平面図であり、図５（ｂ）は、図５（ａ）の発光装置を、第１の発光素子６ａ、第２の発光素子６ｂ（以下、第１の発光素子と第２の発光素子とをまとめて発光素子とも記す）及びワイヤー７を通過する面で切断した断面図である。図５（ａ）においては、配線パターン３（３ａ，３ｋ）と発光素子６ａとの接続関係、及び、発光素子同士の接続関係等を明瞭にするために、発光装置１の内部を透明化して図示している。なお、本実施形態では、セラミクス基板とＦａｃｅ  ｕｐ型の発光素子を用いたＣｈｉｐ−ｏｎ−Ｂｏａｒｄ（ＣＯＢ）型の発光装置を記載しているが、発光装置の形態はこれに限定されるものではない。例えば、基板材料としてアルミニウムや銅を用いても良いし、発光素子として上下電極型の発光素子やＦｌｉｐ型の発光素子を用いても良い。加えて、発光装置の形態として、ＣＯＢ型ではなく、金属フレームで形成される樹脂パッケージを基板とした表面実装（ＳＭＤ）型であっても良い。
【００９２】
（発光装置の構成）
発光装置１は、基板２と、基板２上に配置された配線パターン３（３ａ，３ｋ）と、電極ランド４（４ａ，４ｋ）と、封止樹脂層５と、第１の発光素子６ａおよび第２の発光素子６ｂと、ワイヤー７と、印刷抵抗素子８と、樹脂ダム９と、緑色蛍光体１０と、赤色蛍光体１２とを備える。
【００９３】
樹脂ダム９は、基板２の上面に設けられており、基板２を主面の上方から見たときにはリング状（平面視リング状）に形成されている。基板２の上面のうち樹脂ダム９よりも内側に位置する部分には、第１の発光素子６ａと、第２の発光素子６ｂとを含む封止樹脂層が設けられている。
【００９４】
配線パターン３（３ａ，３ｋ）は、基板２の上面に設けられ、樹脂ダム９に覆われている。電極ランド４（４ａ，４ｋ）は、基板２の上面のうち樹脂ダム９よりも外側に位置する部分に設けられている。ワイヤー７は、２種類の発光素子６ａ，６ｂと配線パターン３（３ａ，３ｋ）とを電気的に接続している。２個以上の発光素子６が設けられている場合には、発光素子６同士はワイヤー７を介して接続されていることが好ましい。
【００９５】
発光装置１の各構成要素の具体例について、以下に説明する。なお、基板２、配線パターン３（３ａ，３ｋ）、電極ランド４（４ａ，４ｋ）、封止樹脂層５に含まれる透明樹脂、発光素子６、ワイヤー７、印刷抵抗素子８及び樹脂ダム９の構成（材料、大きさ又は形状等）は、以下の記載に限定されない。
【００９６】
（基板、配線パターン、電極ランド）
基板２は、例えば平面視長方形状に形成されており、例えばセラミックス基板又は絶縁膜が表面に形成された金属基板等である。
【００９７】
配線パターン３（３ａ，３ｋ）は、相互に対向するように基板２の上面に設けられており、そのそれぞれは、平面視において、円環からその一部が切り出された形状（円弧形状）を有する。このような配線パターン３（３ａ，３ｋ）は、例えばスクリーン印刷方法等により形成される。
【００９８】
電極ランド４（４ａ，４ｋ）は、外部接続用（例えば電源供給用途）の電極であり、例えばＡｇ−Ｐｔ等からなる。電極ランド４ａは引き出し用配線を介して配線パターン３ａの一端に接続され、電極ランド４ｋは別の引き出し用配線を介して配線パターン３ｋの一端に接続されている。このような電極ランド４（４ａ，４ｋ）は、例えばスクリーン印刷方法等により形成される。
【００９９】
（封止樹脂層）
封止樹脂層５では、緑色蛍光体１０と赤色蛍光体１２とが透明樹脂に一様に分散されている。このような封止樹脂層５は、次に示す方法にしたがって形成される。まず、緑色蛍光体１０と赤色蛍光体１２とを透明樹脂に一様に混合する。得られた混合樹脂を、基板２の上面のうち樹脂ダム９よりも内側に位置する部分に注入する。このとき、基板２の上面のうち樹脂ダム９よりも内側に位置する部分には、すでに、２種類の発光素子６ａ，６ｂがそれぞれ１個以上設けられている。２種類の発光素子６ａ，６ｂがそれぞれ２個以上設けられている場合には、２個以上の発光素子６ａ，６ｂはワイヤー７を介して互いに接続されている。その後、熱処理を行う。この熱処理によって透明樹脂が硬化され、その結果、２種類の発光素子６と緑色蛍光体１０と赤色蛍光体１２とが封止され、封止樹脂層５が形成される。
【０１００】
封止樹脂層５に含まれる透明樹脂は、透光性を有する樹脂であればいずれも用いることができる。例えばエポキシ樹脂、シリコーン樹脂又は尿素樹脂等であることが好ましい。また、封止樹脂層５は、例えばＳｉＯ２、ＴｉＯ２、ＺｒＯ２、Ａｌ２Ｏ３又はＹ２Ｏ３等の添加剤を含んでいても良い。封止樹脂層５がこのような添加剤を含んでいれば、緑色蛍光体１０、赤色蛍光体１２等の沈降を防止することができる。また、発光素子６ａ，６ｂ、緑色蛍光体１０、赤色蛍光体１２のそれぞれからの光を効率良く拡散させることができる。
【０１０１】
（緑色蛍光体）
緑色蛍光体１０は、発光素子から放射された一次光によって励起され、緑色領域にピーク発光波長を有する光を放射する。ここで、「緑色領域」とは、波長が４８５ｎｍ以上５８０ｎｍ未満の領域を意味する。
【０１０２】
緑色蛍光体１０の具体例を以下に示す。
一般式（Ａ）：（Ｍ１）３−ｘＣｅｘ（Ｍ２）５Ｏ１２（式中、（Ｍ１）はＹ、Ｌｕ、Ｇｄ及びＬａのうちの少なくとも１つを表わし、（Ｍ２）はＡｌ及びＧａのうちの少なくとも１つを表わし、Ｃｅの組成比（濃度）を示すｘは０．００５≦ｘ≦０．２０を満たす）で表わされる蛍光体、
Ｃａ３（Ｓｃ，Ｍｇ）２Ｓｉ３Ｏ１２：Ｃｅ系蛍光体、
一般式（Ｂ）：ＥｕａＳｉｂＡｌｃＯｄＮｅ（式中、ａは０．００５≦ａ≦０．４を満たし、ｂ及びｃはｂ＋ｃ＝１２を満たし、ｄ及びｅはｄ＋ｅ＝１６を満たす）で表わされるβ型ＳｉＡｌＯＮである２価のユーロピウム賦活酸窒化物蛍光体、
一般式（Ｃ）：（Ｍ３）２−ｙＥｕｙＳｉＯ４（式中、（Ｍ３）はＭｇ、Ｃａ、Ｓｒ及びＢａのうちの少なくとも１つを表わし、Ｅｕの組成比（濃度）を示すｙは０．０３≦ｙ≦０．１０を満たす）で表される２価のユーロピウム賦活珪酸塩蛍光体、
一般式（Ｄ）：Ｌａ３−ｚＣｅｚＳｉ６Ｎ１１（式中、ｚは０．０１＜ｚ≦０．２を満たす）で表わされる３価のセリウム賦活蛍光体、
（Ｃａ，Ｓｒ，Ｂａ）ＳｉＡｌ２Ｏ３Ｎ２：Ｃｅ系蛍光体、
Ｂａ３Ｓｉ６Ｏ１２Ｎ２：Ｅｕ系蛍光体、
（Ｓｒ，Ｂａ）３ＳｉＯ５：Ｅｕ系蛍光体。
【０１０３】
緑色蛍光体１０としては、これらの１種を単独で用いても良いし、これらの２種以上を混合して用いても良い。緑色蛍光体１０は、公知の製造方法の中から選択されたいずれかの製造方法にしたがって製造されたものであっても良いし、製品として入手されたものであっても良い。
【０１０４】
緑色蛍光体１０の蛍光スペクトルの半値幅は、広い方が好ましく、例えば９５ｎｍ以上であることが好ましい。Ｃｅを賦活剤とする蛍光体、例えばＬｕ３−ｘＣｅｘＡｌ５Ｏ１２系緑色蛍光体（上記一般式（Ａ）において（Ｍ１）がＬｕであり（Ｍ２）がＡｌである蛍光体）は、ガーネット結晶構造を有する。この蛍光体ではＣｅを賦活剤として使用しているので、半値幅の広い（半値幅が９５ｎｍ以上）蛍光スペクトルが得られる。よって、Ｃｅを賦活剤とする蛍光体は、発光装置１の平均演色評価数Ｒａを高めるために好適な緑色蛍光体である。
【０１０５】
（赤色蛍光体）
赤色蛍光体１２は、発光素子から放射された一次光によって励起され、赤色領域にピーク発光波長を有する光を放射する。ここで、「赤色領域」とは、波長が５８０ｎｍ以上７００ｎｍ未満である領域を意味する。
【０１０６】
赤色蛍光体１２の具体例を以下に示す。
（Ｓｒ，Ｃａ）ＡｌＳｉＮ３：Ｅｕ系蛍光体、
ＣａＡｌＳｉＮ３：Ｅｕ系蛍光体、
一般式（Ｅ）：（Ｍ６）２−ｘＥｕｘＳｉ５Ｎ８（式中、（Ｍ６）はＭｇ、Ｃａ、Ｓｒ及びＢａのうちの少なくとも１つを表わし、Ｅｕの組成比（濃度）を示すｘは０．０１≦ｘ≦０．３０を満たす）で表される２価のユーロピウム賦活窒化物蛍光体、
一般式（Ｆ）：［Ｅｕａ（Ｍ７）１−ａ］ｘＳｉｂＡｌｃＯｄＮｅ（式中、ｘは０．１５≦ｘ≦１．５を満たし、ａは０≦ａ≦１を満たし、ｂ及びｃはｂ＋ｃ＝１２を満たし、ｄ及びｅはｄ＋ｅ＝１６を満たし、（Ｍ７）はＬｉ、Ｎａ、Ｋ、Ｒｂ、Ｃｓ、Ｍｇ、Ｃａ、Ｓｒ、Ｂａ、Ｓｃ、Ｙ、Ｌａ及びＧｄのうちの少なくとも１つを表わす）で表されるα型ＳｉＡｌＯＮである２価のユーロピウム賦活酸窒化物蛍光体、
一般式（Ｇ）：（Ｍ８）２（（Ｍ９）１−ｚＭｎｚ）Ｆ６（Ｍ８はＬｉ、Ｎａ、Ｋ、ＲｂおよびＣｓのうちの少なくとも１つを示す。Ｍ９はＧｅ、Ｓｉ、Ｓｎ、ＴｉおよびＺｒのうちの少なくとも１つを示す。０．００５≦ｚ≦０．３）で表される４価のマンガン賦活フッ化金属塩蛍光体）。
【０１０７】
赤色蛍光体１２としては、これらの１種を単独で用いても良いし、これらの２種以上を混合して用いても良い。赤色蛍光体１２は、公知の製造方法の中から選択されたいずれかの製造方法にしたがって製造されたものであっても良いし、製品として入手されたものであっても良い。
【０１０８】
赤色蛍光体１２の蛍光スペクトルの半値幅は、緑色蛍光体１０と同様に広い方が好ましい。赤色蛍光体１２の好適な一例としては、（Ｓｒ，Ｃａ）ＡｌＳｉＮ３：Ｅｕ系蛍光体又はＣａＡｌＳｉＮ３：Ｅｕ系蛍光体等を挙げることができる。
【０１０９】
緑色蛍光体１０と赤色蛍光体１２との混合比率は特に制限されず、発光装置１から放射される光が所望の特性になるように混合比率を設定することが好ましい。
【０１１０】
（発光素子）
発光装置１は、発光素子として、４４０ｎｍ以上４６０ｎｍ未満の波長範囲内にピーク発光波長を有する第１の一次光を放射する第１の発光素子６ａと、４６０ｎｍ以上４９０ｎｍ以下の波長範囲内にピーク発光波長を有する第２の一次光を放射する第２の発光素子６ｂとを用いる。特にＬＥＤ光源を用いた発光装置に用いられる蛍光体としては４４０ｎｍ以上４６０ｎｍ未満の波長範囲内で効率よく励起されるものが多い。このため４４０ｎｍ以上４６０ｎｍ未満の波長範囲内にピーク発光波長を有する第１の一次光を放射する第１の発光素子６ａを用いることは発光装置の発光効率を高くするために有利である。また、４６０ｎｍ以上４９０ｎｍ以下の波長範囲内にピーク発光波長を有する第２の一次光を放射する第２の発光素子６ｂを用いることは、後述するように、発光装置が４５０〜５００ｎｍの波長領域における発光成分を持つことになるため、発光装置の演色性を高くするために有利である。これにより、発光装置１の発光効率と演色性とを同時に高く維持できるので、発光装置１の実用性を高めることができる。ピーク発光波長が４４０ｎｍ未満である発光素子を用いた場合には、視感度が悪く、また、蛍光体の励起に適さない場合がある。例えば一般式（Ａ）で示される蛍光体は、ピーク発光波長が４４０ｎｍ未満の発光素子からの光の吸収効率が悪く、励起効率が悪い。一方、ピーク発光波長が４９０ｎｍを超える発光素子を用いた場合にも蛍光体の励起に適さない場合がある。例えば一般式（Ａ）で示される蛍光体は、ピーク発光波長が４９０ｎｍを超える発光素子からの光の吸収効率が悪い。
【０１１１】
第１の発光素子６ａとして使用されるＬＥＤチップは、４４０ｎｍ以上４６０ｎｍ未満の波長範囲にピーク発光波長を有する第１の一次光を含む光を放射する半導体発光素子のベアチップであることが好ましく、ＩｎＧａＮ系ＬＥＤチップであることがより好ましい。第１の発光素子６ａの一例としては、ピーク発光波長が４５０ｎｍ近傍のＬＥＤチップを挙げることができる。ここで、「ＩｎＧａＮ系ＬＥＤチップ」とは、発光層がＩｎＧａＮ層であるＬＥＤチップを意味する。
【０１１２】
第２の発光素子６ｂとして使用されるＬＥＤチップは、４６０ｎｍ以上４９０ｎｍ以下の波長範囲にピーク発光波長を有する第２の一次光を含む光を放射する半導体発光素子のベアチップであることが好ましく、ＩｎＧａＮ系ＬＥＤチップであることがより好ましい。第２の発光素子６ｂの一例としては、ピーク発光波長が４７０ｎｍ近傍のＬＥＤチップを挙げることができる。
【０１１３】
発光装置が発光素子６ａ，６ｂをそれぞれ２個以上含む場合、発光素子の配列形態の一例として、次に示す配列形態が考えられる。発光素子６ａ，６ｂは、基板２の上面にダイボンドされており、基板２の一辺（Ｘ方向に延びる基板２の辺）に対してほぼ平行に、且つ、直線上に、配置されている。発光素子６ａ，６ｂは、基板２の上面のうち樹脂ダム９よりも内側に位置する部分に高密度に配置されている。具体的には、樹脂ダム９で規定される円環の中心付近においては直線上に配置される発光素子６ａ，６ｂの個数が多くなるように、且つ、上記円環の中心から基板２の周縁（上記円環の径方向外側）に向かうにつれては直線上に配置される発光素子６ａ，６ｂの個数が少なくなるように、発光素子６ａ，６ｂが配置されている。
【０１１４】
図５に示す発光装置１では、８個の第１の発光素子６ａと４個の第２の発光素子とが、ワイヤー７で互いに接続されて形成される配線が、電極ランド４（４ａ，４ｂ）間に１０列並列に接続されている。第１の発光素子６ａと第２の発光素子６ｂとは、発光装置から発せられる光が均一となるように、偏りなく配置されている。第１の発光素子６ａの数と第２の発光素子６ｂの数との比は特に限定されない。
【０１１５】
発光素子６ａ，６ｂは、その上面から光が放射される構造を有することが好ましい。また、発光素子６ａ，６ｂは、その表面に、ワイヤー７を介して、隣り合う発光素子同士を接続するための電極パッド、及び、発光素子６ａ，６ｂと配線パターン３（３ａ，３ｋ）とを接続するための電極パッド（例えばアノード用電極パッドとカソード用電極パッド）を有することが好ましい。
【０１１６】
発光素子６ａ，６ｂは、その下面から光が放射される構造を有しても良い。その場合には、まず、ワイヤー７に相当する配線と電極ランド４とを基板２の上面に形成する。次に、発光素子６ａ，６ｂの表面に設けられた電極パッドを基板２の上面に対向させ、バンプを介してフリップチップ接続により発光素子６ａ，６ｂと基板２とを接続する。このようにして、下面から光が放射される構造を有する発光素子６ａ，６ｂを、基板２の上面に搭載させることができる。
【０１１７】
（抵抗素子）
抵抗素子８は、静電耐圧を高める目的で設けられ、図５に示すように配線パターン３ａの一端と配線パターン３ｋの一端とを接続するように設けられ、円環からその一部が切り出された形状（円弧形状）を有している。このような抵抗素子８は、例えば、印刷抵抗やツェナーダイオードであることが好ましい。なお、発光装置１は抵抗素子８を備えていなくても良い。
【０１１８】
（樹脂ダム）
樹脂ダム９は、封止樹脂層５を堰き止めるための樹脂であり、有着色材料（白色材料又は乳白色材料であることが好ましい）で構成されていることが好ましい。樹脂ダム９は、図５（ｂ）に示すように、配線パターン３と印刷抵抗素子８とで形成される円環部分を覆うように形成されると、配線パターン３と印刷抵抗素子８による、発光素子から放射された光または蛍光体で変換された光の吸収を低減できるため好ましい。
【０１１９】
（発光装置の発光特性、発光装置の発光スペクトル）
発光装置１は、少なくとも１個の第１の発光素子６ａ、少なくとも１個の第２の発光素子６ｂと、緑色蛍光体１０と、赤色蛍光体１２とを備える。第１の発光素子６ａは、４４０ｎｍ以上４６０ｎｍ未満の波長範囲内にピーク発光波長を有する第１の一次光を放射する。第２の発光素子６ｂは、４６０ｎｍ以上４９０ｎｍ以下の波長範囲内にピーク発光波長を有する第２の一次光を放射する。緑色蛍光体１０は、発光素子６ａ，６ｂから放射された一次光によって励起され、緑色領域にピーク発光波長を有する光を放射する。赤色蛍光体１２は、発光素子６ａ，６ｂから放射された一次光によって励起され、赤色領域にピーク発光波長を有する光を放射する。発光装置１から放射される光は、相関色温度が２０００Ｋ以上６５００Ｋ以下であり、平均演色評価数Ｒａ８０以上となる。すなわち、発光装置１から放射される光は、平均演色評価数Ｒａが高く、演色性が優れている。ここで、「相関色温度」は、ＪＩＳ  Ｚ  ８７２５（光源の分布温度及び色温度・相関色温度の測定方法）に準拠して求められた値である。「平均演色評価数」は、ＪＩＳ  Ｚ  ８７２６：１９９０（光源の演色性評価方法）に準拠して求められた値である。
【０１２０】
発光装置１は、２種の異なる発光素子６ａ，６ｂを備えるため、発光装置１からの光を白色の照射対象物に照射した場合に、青色の反射成分を小さくでき、白、黒、赤、紺、の再現性がよくなる。この理由について、図６を用いて説明する。図６は、異なる２種類の発光装置の発光スペクトルを示す。図６において、実施例１は、本実施形態に係る発光装置と同様の構成を備える発光装置であり、４４０ｎｍ以上４６０ｎｍ未満の波長範囲内にピーク発光波長を有する第１の一次光を放射する第１の発光素子と、４６０ｎｍ以上４９０ｎｍ以下の波長範囲内にピーク発光波長を有する第２の一次光を放射する第２の発光素子とを備える。比較例１は、発光素子として第１の発光素子のみを用い、第２の発光素子を用いないこと以外は、実施例１と同様の構成を備える発光装置である。
【０１２１】
図６に示されるように、発光装置が１種の発光素子のみを備える場合（比較例１）、該発光装置の放射する光のスペクトルは、４３０ｎｍ〜４８０ｎｍの波長範囲内に１つの急峻なピークを有する。このため、発光装置からの光を白色の照射対象物に照射した場合に、青色の反射成分が大きくなり、白は過剰に青白く、黒は青みがかり、赤は紫寄りに見え、紺は青みがかり、色の再現性はよくない。
【０１２２】
一方、発光装置が２種の発光素子を備える場合（実施例１）、該発光装置の放射する光のスペクトルは、４３０ｎｍ〜５００ｎｍの波長範囲内に２つの小さなピークを有し、最大発光強度が大きい方のピークの最大発光強度と、２つのピークの間の谷部の最小発光強度との差が、比較例１の４５０ｎｍ付近のピークの最大発光強度と、ピークから長波長側の谷部の最小発光強度との差よりも小さい。このため、発光装置からの光を白色の照射対象物に照射した場合に、青色の反射成分を小さくでき、白、黒、赤、紺、の再現性がよくなる。よって、本実施形態に係る発光装置は、物品販売等で好適に使用でき、とりわけ服飾業界で好適に使用できる。さらには、本発明の発光装置は、ＬＥＤを用いた従来の発光装置に比べて、４４０ｎｍ以上４６０ｎｍ未満の波長領域における発光成分が相対的に少ないため、被照射の退色を抑えることができる、人の目の網膜に対する傷害度が低い、といった特徴を有している。
【０１２３】
発光装置１から放射された光のスペクトル（発光装置１の発光スペクトル）は、４５０ｎｍ以上５００ｎｍ以下の波長範囲内の最小発光強度である第１の発光強度Ｅ１に対する、４３０ｎｍ以上４６０ｎｍ未満の波長範囲内の最大発光強度である第２の発光強度Ｅ２の比（Ｅ２／Ｅ１）は、３．０以下であることが好ましい。これによると、発光装置は白、黒、赤、紺、の再現性が非常によくなる。第１の発光強度Ｅ１と第２の発光強度Ｅ２との比（Ｅ２／Ｅ１）は、２．５以下であることがより好ましく、２．０以下であることがさらに好ましい。
【０１２４】
このような発光スペクトルを得るための具体的な方法としては、発光素子６ａ，６ｂ、緑色蛍光体１０、赤色蛍光体１２の材料や含有量を最適化するという方法が挙げられる。
【実施例】
【０１２５】
以下、実施例を挙げて本発明をより詳細に説明するが、本発明はこれらに限定されるものではない。【０１２６】
＜実施例１＞
実施例１の発光装置は、図５に示す発光装置と同様の構成を備える。実施例１の発光装置は、４４０ｎｍ以上４６０ｎｍ未満の波長範囲内にピーク発光波長を有する第１の一次光を放射する第１の発光素子を８０個と、４６０ｎｍ以上４９０ｎｍ以下の波長範囲内にピーク発光波長を有する第２の一次光を放射する第２の発光素子を４０個備える。発光装置から放射される光の相関色温度が３０００Ｋ付近となるように、緑色蛍光体と赤色蛍光体との配合比率を調整した。【０１２７】
＜実施例２〜４＞
実施例２〜４の発光装置は、第１の発光素子の数、第２の発光素子の数および発光装置から放射される光の相関色温度を表１に示す値とすること以外は、実施例１と同様の構成を備える。【０１２８】
＜比較例１〜４＞
比較例１〜４の発光装置は、発光素子として第１の発光素子１２０個を用い、第２の発光素子を用いず、発光装置から放射される光の相関色温度を表１に示す値とすること以外は、実施例１と同様の構成を備える。【０１２９】
＜性能評価＞
実施例１〜４、比較例１〜４のそれぞれの発光装置の発光スペクトルを図６〜図９に示す。【０１３０】
実施例１〜４、比較例１〜４のそれぞれの発光装置について、４５０ｎｍ以上５００ｎｍ以下の波長範囲内の最小発光強度である第１の発光強度Ｅ１と、４３０ｎｍ以上４６０ｎｍ以下の波長範囲内の最大発光強度である第２の発光強度Ｅ２とを求め、第１の発光強度Ｅ１に対する第２の発光強度Ｅ２の比（Ｅ２／Ｅ１）を算出した。また、発光装置から放射される光の相関色温度および平均演色評価数Ｒａおよび特殊演色評価数Ｒ９を求めた。「相関色温度」は、ＪＩＳ  Ｚ  ８７２５（光源の分布温度及び色温度・相関色温度の測定方法）に準拠して求めた。「平均演色評価数」は、ＪＩＳ  Ｚ  ８７２６：１９９０（光源の演色性評価方法）に準拠して求めた。結果を表１に示す。【０１３１】
【表１】
2016159141.tif 000003
【０１３２】
図６に示されるように、実施例１の発光スペクトルは、４３０ｎｍ〜５００ｎｍの波長範囲内に２つの小さなピークを有する。一方、比較例１の発光スペクトルは、４３０ｎｍ〜５００ｎｍの波長範囲内に１つの急峻なピークを有する。実施例１の発光装置は、比較例１の発光装置に比べて、平均演色評価数Ｒａおよび特殊演色評価数Ｒ９が高く、白、赤、紺、黒の再現性も良好であった。【０１３３】
図７〜図９に示されるように、実施例２〜４の発光スペクトルは、４３０ｎｍ〜５００ｎｍの波長範囲内に２つの小さなピークを有する。一方、比較例２〜４の発光スペクトルは、４３０ｎｍ〜５００ｎｍの波長範囲内に１つの急峻なピークを有する。実施例２〜４の発光装置は、それぞれ比較例２〜４の発光装置に比べて、平均演色評価数Ｒａおよび特殊演色評価数Ｒ９が高く、白、赤、紺、黒の再現性も良好であった。【０１３４】
今回開示された実施形態および実施例はすべての点で例示であって、制限的なものではないと考えられるべきである。本発明の範囲は上記した実施形態ではなく請求の範囲によって示され、請求の範囲と均等の意味、および範囲内でのすべての変更が含まれることが意図される。
【符号の説明】
【０１３５】
１，Ａ１１，Ａ１２，Ｂ１１，Ｂ１２  発光装置、２，Ａ１１１，Ｂ１１２  基板、Ａ１１２，Ｂ１１１  フレーム、３（３ａ，３ｋ）  配線パターン、４（４ａ，４ｂ）  電極ランド、５  封止樹脂層、６ａ，Ａ１０１，Ｂ１０１  第１の発光素子、６ｂ，Ｂ１０２  第２の発光素子、７  ワイヤー、８  印刷抵抗素子、９  樹脂ダム、１０，１８１  緑色蛍光体、１２，１９１  赤色蛍光体、１２１  第１電極ランド、１２２  第２電極ランド、Ａ１２９，Ａ１３０，Ｂ１２９，Ｂ１３０  電極、１５１  ダムリング、１６０  第１蛍光体含有樹脂層、１６１  樹脂、１６２  シリコーン樹脂、２０１  青色蛍光体、２６０  第２蛍光体含有樹脂層
【図１】
2016159141.tif 000004
【図２】
2016159141.tif 000005
【図３】
2016159141.tif 000006
【図４】
2016159141.tif 000007
【図５】
2016159141.tif 000008
【図６】
2016159141.tif 000009
【図７】
2016159141.tif 000010
【図８】
2016159141.tif 000011
【図９】
2016159141.tif 000012
【手続補正書】
【提出日】平成28年11月4日(2016.11.4)
【手続補正１】
【補正対象書類名】特許請求の範囲
【補正対象項目名】全文
【補正方法】変更
【補正の内容】
【特許請求の範囲】
【請求項１】
４４０ｎｍ以上４６０ｎｍ未満の波長範囲内にピーク発光波長を有する第１の一次光と４６０ｎｍ以上４９０ｎｍ以下の波長範囲内にピーク発光波長を有する第２の一次光との両者を放射する少なくとも１個の発光素子と、
蛍光体とを備え、
前記蛍光体は、前記第１の一次光および前記第２の一次光のいずれかもしくは両方によって励起され、緑色領域にピーク発光波長を有する第１の蛍光を放射する緑色蛍光体と、前記第１の一次光および前記第２の一次光のいずれかもしくは両方によって励起され、赤色領域にピーク発光波長を有する第２の蛍光を放射する赤色蛍光体とからなる蛍光体、または、前記第１の蛍光を放射する緑色蛍光体と、前記第２の蛍光を放射する赤色蛍光体と、前記第１の一次光および前記第２の一次光のいずれかもしくは両方によって励起され、青色領域にピーク発光波長を有する第３の蛍光を放射する青色蛍光体とからなる蛍光体、のいずれかであり、
前記発光装置の発光スペクトルにおいて、４５０ｎｍ以上５００ｎｍ以下の波長範囲内の最小発光強度である第１の発光強度Ｅ１に対する、４３０ｎｍ以上４６０ｎｍ以下の波長範囲内の最大発光強度である第２の発光強度Ｅ２の比（Ｅ２／Ｅ１）は、３．０以下であり、
相関色温度が２０００Ｋ以上６５００Ｋ以下であり、かつ、相関色温度が２０００Ｋ以上６５００Ｋ以下のいずれの相関色温度においても平均演色評価数Ｒａ９７以上の光を放射することを特徴とする発光装置。
【請求項２】
（削除）
【請求項３】
４４０ｎｍ以上４６０ｎｍ未満の波長範囲内にピーク発光波長を有する第１の一次光を放射する少なくとも１個の第１の発光素子と、
４６０ｎｍ以上４９０ｎｍ以下の波長範囲内にピーク発光波長を有する第２の一次光を放射する少なくとも１個の第２の発光素子と、
蛍光体とを備え、
前記蛍光体は、前記第１の一次光および前記第２の一次光のいずれかもしくは両方によって励起され、緑色領域にピーク発光波長を有する第１の蛍光を放射する緑色蛍光体と、前記第１の一次光および前記第２の一次光のいずれかもしくは両方によって励起され、赤色領域にピーク発光波長を有する第２の蛍光を放射する赤色蛍光体とからなる蛍光体、または、前記第１の蛍光を放射する緑色蛍光体と、前記第２の蛍光を放射する赤色蛍光体と、前記第１の一次光および前記第２の一次光のいずれかもしくは両方によって励起され、青色領域にピーク発光波長を有する第３の蛍光を放射する青色蛍光体とからなる蛍光体、のいずれかであり、
前記発光装置の発光スペクトルにおいて、４５０ｎｍ以上５００ｎｍ以下の波長範囲内の最小発光強度である第１の発光強度Ｅ１に対する、４３０ｎｍ以上４６０ｎｍ以下の波長範囲内の最大発光強度である第２の発光強度Ｅ２の比（Ｅ２／Ｅ１）は、３．０以下であり、
相関色温度が２０００Ｋ以上６５００Ｋ以下であり、かつ、相関色温度が２０００Ｋ以上６５００Ｋ以下のいずれの相関色温度においても平均演色評価数Ｒａ９７以上の光を放射することを特徴とする発光装置。
【請求項４】
（削除）
【請求項５】
前記緑色蛍光体が、以下のＡ群より選択される１つまたは複数の蛍光体であり、前記赤色蛍光体が、以下Ｂ群より選択される１つまたは複数の蛍光体であることを特徴とする、請求項１または３に記載の発光装置。
（Ａ群）
（Ａ１）一般式Ｅｕａ１Ｓｉｂ１Ａｌｃ１Ｏｄ１Ｎｅ１（０．００１≦ａ１≦０．２）で表される２価のユーロピウムを賦活したβ型ＳｉＡｌＯＮ
（Ａ２）（ＭＩ）３−ｘ２Ｃｅｘ２（ＭＩＩ）５Ｏ１２（ＭＩはＬｕ、ＬａおよびＧｄのうちの少なくとも１つを示す。ＭＩＩはＡｌおよびＧａのうちの少なくとも１つを示す。０．００５≦ｘ２≦０．３）で表されるガーネット型結晶構造を有する蛍光体
（Ａ３）（ＭＩＩＩ）３−ｘ４Ｃｅｘ４（ＭＩＶ）２Ｓｉ３Ｏ１２（ＭＩＩＩはＭｇ、Ｃａ、ＳｒおよびＢａのうちの少なくとも１つを示す。ＭＩＶはＬｉ、Ｎａ、Ｋ、Ｃｓ、Ｒｂ、Ｍｇ、Ｃａ、Ｂａ、Ａｌ、Ｇａ、Ｉｎ、Ｓｃ、Ｙ、Ｌａ、ＧｄおよびＬｕのうちの少なくとも１つを示す。０．００５≦ｘ４≦０．３）で表される蛍光体
（Ａ４）（ＭＶ）３−ａ７Ｅｕａ７Ｓｉ６Ｏ１２Ｎ２（ＭＶはＳｒおよびＢａのうちの少なくとも１つを示す。０．００５≦ａ７≦０．２）で表される蛍光体
（Ｂ群）
（Ｂ１）（ＭＩＩＩ）１−ｘ１１Ｅｕｘ１１（ＭＶＩ）ＳｉＮ３（ＭＩＩＩはＭｇ、Ｃａ、ＳｒおよびＢａのうちの少なくとも１つを示す。ＭＶＩはＡｌ、Ｇａ、Ｉｎ、Ｓｃ、Ｙ、Ｌａ、ＧｄおよびＬｕのうちの少なくとも１つを示す。０．００５≦ｘ１１≦０．２）で表される蛍光体
（Ｂ２）（ＭＩＩＩ）２−ｘ１２Ｅｕｘ１２Ｓｉ５Ｎ８（ＭＩＩＩはＣａおよびＳｒのうちの少なくとも１つを示す。０．００５≦ｘ１２≦０．２）で表される蛍光体
（Ｂ３）Ｅｕｆ（ＭＶＩＩ）ｇＳｉｈＡｌｉＯｊＮｋ（ＭＶＩＩはＬｉ、Ｎａ、Ｋ、Ｒｂ、Ｃｓ、Ｍｇ、Ｃａ、Ｓｒ、Ｂａ、Ｓｃ、Ｙ、ＬａおよびＧｄのうちの少なくとも１つを示す。０．００１≦ｆ≦０．２）で表される２価のユーロピウムを賦活したα型ＳｉＡｌＯＮ
（Ｂ４）（ＭＶＩＩＩ）２（（ＭＩＸ）１−ｘ１４Ｍｎｘ１４）Ｆ６（ＭＶＩＩＩはＬｉ、Ｎａ、Ｋ、ＲｂおよびＣｓのうちの少なくとも１つを示す。ＭＩＸはＧｅ、Ｓｉ、Ｓｎ、ＴｉおよびＺｒのうちの少なくとも１つを示す。０．００５≦ｘ１４≦０．３）で表される蛍光体
【手続補正書】
【提出日】平成29年9月20日(2017.9.20)
【手続補正１】
【補正対象書類名】特許請求の範囲
【補正対象項目名】全文
【補正方法】変更
【補正の内容】
【特許請求の範囲】
【請求項１】
基板と、
前記基板の上面に設けられた円環形状のダムリングと、
４４０ｎｍ以上４６０ｎｍ未満の波長範囲内にピーク発光波長を有する第１の一次光と４６０ｎｍ以上４９０ｎｍ以下の波長範囲内にピーク発光波長を有する第２の一次光との両者を放射する少なくとも１個の発光素子と、
蛍光体とを備え、
前記蛍光体は、前記第１の一次光および前記第２の一次光のいずれかもしくは両方によって励起され、緑色領域にピーク発光波長を有する第１の蛍光を放射する緑色蛍光体と、前記第１の一次光および前記第２の一次光のいずれかもしくは両方によって励起され、赤色領域にピーク発光波長を有する第２の蛍光を放射する赤色蛍光体とからなる蛍光体、または、前記第１の蛍光を放射する緑色蛍光体と、前記第２の蛍光を放射する赤色蛍光体と、前記第１の一次光および前記第２の一次光のいずれかもしくは両方によって励起され、青色領域にピーク発光波長を有する第３の蛍光を放射する青色蛍光体とからなる蛍光体、のいずれかであり、
前記発光装置の発光スペクトルにおいて、４５０ｎｍ以上５００ｎｍ以下の波長範囲内の最小発光強度である第１の発光強度Ｅ１に対する、４３０ｎｍ以上４６０ｎｍ以下の波長範囲内の最大発光強度である第２の発光強度Ｅ２の比（Ｅ２／Ｅ１）は、３．０以下であり、
相関色温度が２０００Ｋ以上６５００Ｋ以下であり、かつ、相関色温度が２０００Ｋ以上６５００Ｋ以下のいずれの相関色温度においても平均演色評価数Ｒａ９７以上の光を放射し、
前記発光素子は、前記基板の上面のうち前記ダムリングにより囲まれた領域において等間隔に配置されている、発光装置。
【請求項２】
基板と、
前記基板の上面に設けられた円環形状の樹脂ダムと、
４４０ｎｍ以上４６０ｎｍ未満の波長範囲内にピーク発光波長を有する第１の一次光を放射する少なくとも２個の第１の発光素子と、
４６０ｎｍ以上４９０ｎｍ以下の波長範囲内にピーク発光波長を有する第２の一次光を放射する少なくとも２個の第２の発光素子と、
蛍光体とを備え、
前記蛍光体は、前記第１の一次光および前記第２の一次光のいずれかもしくは両方によって励起され、緑色領域にピーク発光波長を有する第１の蛍光を放射する緑色蛍光体と、前記第１の一次光および前記第２の一次光のいずれかもしくは両方によって励起され、赤色領域にピーク発光波長を有する第２の蛍光を放射する赤色蛍光体とからなる蛍光体、または、前記第１の蛍光を放射する緑色蛍光体と、前記第２の蛍光を放射する赤色蛍光体と、前記第１の一次光および前記第２の一次光のいずれかもしくは両方によって励起され、青色領域にピーク発光波長を有する第３の蛍光を放射する青色蛍光体とからなる蛍光体、のいずれかであり、
前記発光装置の発光スペクトルにおいて、４５０ｎｍ以上５００ｎｍ以下の波長範囲内の最小発光強度である第１の発光強度Ｅ１に対する、４３０ｎｍ以上４６０ｎｍ以下の波長範囲内の最大発光強度である第２の発光強度Ｅ２の比（Ｅ２／Ｅ１）は、３．０以下であり、
相関色温度が２０００Ｋ以上６５００Ｋ以下であり、かつ、相関色温度が２０００Ｋ以上６５００Ｋ以下のいずれの相関色温度においても平均演色評価数Ｒａ９７以上の光を放射し、
前記第１の発光素子および前記第２の発光素子は、前記基板の上面のうち前記樹脂ダムよりも内側に位置する部分に高密度に配置されている、発光装置。
【請求項３】
前記緑色蛍光体が、以下のＡ群より選択される１つまたは複数の蛍光体であり、前記赤色蛍光体が、以下Ｂ群より選択される１つまたは複数の蛍光体であることを特徴とする、請求項１または２に記載の発光装置。
（Ａ群）
（Ａ１）一般式Ｅｕａ１Ｓｉｂ１Ａｌｃ１Ｏｄ１Ｎｅ１（０．００１≦ａ１≦０．２）で表されるβ型ＳｉＡｌＯＮ
（Ａ２）（ＭＩ）３−ｘ２Ｃｅｘ２（ＭＩＩ）５Ｏ１２（ＭＩはＬｕ、ＬａおよびＧｄのうちの少なくとも１つを示す。ＭＩＩはＡｌおよびＧａのうちの少なくとも１つを示す。０．００５≦ｘ２≦０．３）で表されるガーネット型結晶構造を有する蛍光体
（Ａ３）（ＭＩＩＩ）３−ｘ４Ｃｅｘ４（ＭＩＶ）２Ｓｉ３Ｏ１２（ＭＩＩＩはＭｇ、Ｃａ、ＳｒおよびＢａのうちの少なくとも１つを示す。ＭＩＶはＬｉ、Ｎａ、Ｋ、Ｃｓ、Ｒｂ、Ｍｇ、Ｃａ、Ｂａ、Ａｌ、Ｇａ、Ｉｎ、Ｓｃ、Ｙ、Ｌａ、ＧｄおよびＬｕのうちの少なくとも１つを示す。０．００５≦ｘ４≦０．３）で表される蛍光体
（Ａ４）（ＭＶ）３−ａ７Ｅｕａ７Ｓｉ６Ｏ１２Ｎ２（ＭＶはＳｒおよびＢａのうちの少なくとも１つを示す。０．００５≦ａ７≦０．２）で表される蛍光体
（Ｂ群）
（Ｂ１）（ＭＩＩＩ）１−ｘ１１Ｅｕｘ１１（ＭＶＩ）ＳｉＮ３（ＭＩＩＩはＭｇ、Ｃａ、ＳｒおよびＢａのうちの少なくとも１つを示す。ＭＶＩはＡｌ、Ｇａ、Ｉｎ、Ｓｃ、Ｙ、Ｌａ、ＧｄおよびＬｕのうちの少なくとも１つを示す。０．００５≦ｘ１１≦０．２）で表される蛍光体
（Ｂ２）（ＭＩＩＩ）２−ｘ１２Ｅｕｘ１２Ｓｉ５Ｎ８（ＭＩＩＩはＣａおよびＳｒのうちの少なくとも１つを示す。０．００５≦ｘ１２≦０．２）で表される蛍光体
（Ｂ３）Ｅｕｆ（ＭＶＩＩ）ｇＳｉｈＡｌｉＯｊＮｋ（ＭＶＩＩはＬｉ、Ｎａ、Ｋ、Ｒｂ、Ｃｓ、Ｍｇ、Ｃａ、Ｓｒ、Ｂａ、Ｓｃ、Ｙ、ＬａおよびＧｄのうちの少なくとも１つを示す。０．００１≦ｆ≦０．２）で表されるα型ＳｉＡｌＯＮ
（Ｂ４）（ＭＶＩＩＩ）２（（ＭＩＸ）１−ｘ１４Ｍｎｘ１４）Ｆ６（ＭＶＩＩＩはＬｉ、Ｎａ、Ｋ、ＲｂおよびＣｓのうちの少なくとも１つを示す。ＭＩＸはＧｅ、Ｓｉ、Ｓｎ、ＴｉおよびＺｒのうちの少なくとも１つを示す。０．００５≦ｘ１４≦０．３）で表される蛍光体
【国際調査報告】
2016159141.tif 000013
2016159141.tif 000014
2016159141.tif 000015
2016159141.tif 000016